(57)【要約】【課題】  繰り返し使用しても破損しにくい裁断パターンセットを提供する。【解決手段】  シート状の皮革素材を所定の形状に裁断する型取りを行うため、その所定の形状に形成された裁断パターンが平板状に設けられた裁断パターンセット１は、皮革素材に重ねられて周縁に沿って皮革素材が裁断される裁断パターン２ａ，２ｂ，２ｃと、裁断パターン２ａ，２ｂ，２ｃ以外の残余部分である残余部３と、を備えている。裁断パターン２ａ，２ｂ，２ｃは、裁断パターンセット１から裁断パターン２ａ，２ｂ，２ｃを切り出すための切り取り線である周縁部２１ａ，２１ｂ，２１ｃと、皮革素材を縫製する縫い孔を形成するための孔であるガイド孔２２ａ，２２ｂ，２２ｃが設けられている。【選択図】  図１
0003211926.tif 000002
【実用新案登録請求の範囲】
【請求項１】
シート状の皮革素材を所定の形状に裁断する型取りを行うため、平板状で前記所定の形状に設けられて前記皮革素材に重ねられ、周縁に沿って前記皮革素材が裁断される裁断パターンを１つまたは複数備えた裁断パターンセットであって、
前記１つまたは複数の裁断パターンは、透明または半透明の平板状の樹脂材の面内に設けられ、周縁に前記樹脂材から切り出し可能な切り取り線が設けられている、
ことを特徴とする裁断パターンセット。
【請求項２】
前記１つまたは複数の裁断パターンには、前記皮革素材を縫製する縫い孔を形成するためのガイド孔が設けられている、
ことを特徴とする請求項１に記載の裁断パターンセット。
【請求項３】
前記ガイド孔は、目打ちを使用して前記皮革素材に前記縫い孔を形成することが可能な大きさ及び間隔で設けられている、
ことを特徴とする請求項２に記載の裁断パターンセット。
【考案の詳細な説明】
【技術分野】
【０００１】
この考案は、シート状の皮革素材から型取りを行うため、皮革素材に重ねられる平板状の裁断パターンを備えた裁断パターンセットに関する。
【背景技術】
【０００２】
近年、皮革素材を切り取って縫製を行い、好みの財布や鞄等の皮革製品を自分で手作りする、いわゆるレザークラフトが広まっている。このようなレザークラフト用の製品として、皮革素材や縫製用の針、糸等の必要な道具が一式セットになっているレザークラフトキット（組立手芸キット）が知られている（例えば、特許文献１参照）。このレザークラフトキットに含まれている皮革素材は、予め所定の形状に切り取られている。また、皮革素材を縫製するためには、縫製を行う前に、縫製用の縫い孔を皮革素材に形成する必要があり、この縫い孔も皮革素材に形成されている。
【０００３】
また、このようなレザークラフトキットを使用せず、好みの柄や手触りの皮革素材を購入し、この皮革素材を所定の形状に切り出す型取りを行うため、所定の形状に裁断可能な皮革素材用の型紙も知られている。この型紙は、シート状の皮革素材に重ねられ、この型紙の形状に沿って皮革素材を切り出すことで型取りを行うものである。また、この型紙には、前述の縫い孔を皮革素材に形成するため、縫い孔を形成する位置を示すガイドも設けられている。このガイドに沿って、目打ちと呼ばれる専用の孔開け工具を用いて縫い孔が皮革素材に形成される。
【先行技術文献】
【特許文献】
【０００４】
【特許文献１】特開平１１−２７９９０９号公報
【考案の概要】
【考案が解決しようとする課題】
【０００５】
ところで、同じような皮革製品を複数製作したい場合、この型紙を他の皮革素材に繰り返し使用することがある。また、同一の形状に切り取った２枚の皮革素材を貼り合わせて皮革製品を製作するような場合、型紙を繰り返し使用することもある。しかしながら、このような型紙は紙で構成されているため、破損しやすいものであり、繰り返し使用するには耐久性が弱いものであった。
【０００６】
そこでこの考案は、型紙に代えて、繰り返し使用しても破損しにくい裁断パターンセットを提供することを目的とする。
【課題を解決するための手段】
【０００７】
上記課題を解決するために、請求項１の考案は、シート状の皮革素材を所定の形状に裁断する型取りを行うため、平板状で前記所定の形状に設けられて前記皮革素材に重ねられ、周縁に沿って前記皮革素材が裁断される裁断パターンを１つまたは複数備えた裁断パターンセットであって、前記１つまたは複数の裁断パターンは、透明または半透明の平板状の樹脂材の面内に設けられ、周縁に前記樹脂材から切り出し可能な切り取り線が設けられている、ことを特徴とする。
【０００８】
請求項２の考案は、請求項１に記載の裁断パターンセットにおいて、前記１つまたは複数の裁断パターンには、前記皮革素材を縫製する縫い孔を形成するためのガイド孔が設けられている、ことを特徴とする。
【０００９】
請求項３の考案は、請求項２に記載の裁断パターンセットにおいて、前記ガイド孔は、目打ちを使用して前記皮革素材に前記縫い孔を形成することが可能な大きさ及び間隔で設けられている、ことを特徴とする。
【考案の効果】
【００１０】
請求項１の考案によれば、平板状の裁断パターンが樹脂材により構成されているので、紙で構成されている型紙よりも丈夫であるため、破損しにくくなる。また、この裁断パターンが透明または半透明に構成されているので、皮革素材に重ねられても皮革素材を視認することができるため、皮革素材を正確に裁断することができる。さらに、所定の形状に切り出し可能な切り取り線が設けられているので、この型を所定の形状に容易に切り出すことが可能になる。また、平板状の裁断パターンが１枚の平板状の樹脂材の面内に設けられているので、複数の裁断パターンをコンパクトに収容可能になるため、利便性が高くなる。
【００１１】
請求項２の考案によれば、皮革素材を縫製する縫い孔を形成するためのガイド孔が設けられているので、このガイド孔に沿って皮革素材に縫い孔を正確に形成することが可能である。
【００１２】
請求項３の考案によれば、ガイド孔が目打ちを使用して皮革素材に縫い孔を形成することが可能な大きさ及び間隔で設けられているので、目打ちを用いて皮革素材に縫い孔を形成することが可能である。
【図面の簡単な説明】
【００１３】
【図１】この考案の実施の形態に係る裁断パターンセット１を示す平面図である。
【図２】図１の裁断パターンセット１から裁断パターン２ａが切り出された状態を示す平面図である。
【図３】図２の裁断パターン２ａに沿って皮革素材１０が裁断されている状態を示す平面図である。
【図４】図２のガイド孔２２ａに沿って皮革素材１０に縫い孔を形成するための目印１０ａが形成されている状態を示す平面図である。
【図５】図４の目印１０ａに沿って皮革素材１０に縫い孔１０ｂが形成されている状態を示す平面図である。
【考案を実施するための形態】
【００１４】
以下、この考案を図示の実施の形態に基づいて説明する。
【００１５】
図１ないし図５は、本考案の実施の形態を示し、図１は、この実施の形態に係る裁断パターンセット１を示す平面図である。この裁断パターンセット１は、好みの財布や鞄等の皮革製品を製作するレザークラフト等に使用されるシート状の皮革素材を所定の形状に裁断する型取りを行うため、その所定の形状に形成された裁断パターンが平板状に設けられたものであり、例えば、透明または半透明のポリプロピレン等の樹脂材により構成されている。この裁断パターンセット１の面内には、略横Ｈ字状に形成された裁断パターン２ａと、略横Ｄ字状に形成された裁断パターン２ｂと、紐状で端部がクの字状に凹むように形成された裁断パターン２ｃと、裁断パターン２ａ，２ｂ，２ｃ以外の残余部分である残余部３と、を備えている。
【００１６】
裁断パターン２ａ，２ｂ，２ｃは、皮革素材に重ねられて周縁に沿って皮革素材が裁断されることにより、皮革素材を所定の形状に裁断するための型であり、それぞれ周縁部２１ａ，２１ｂ，２１ｃと、ガイド孔２２ａ，２２ｂ，２２ｃと、を備えている。
【００１７】
周縁部２１ａ，２１ｂ，２１ｃは、裁断パターン２ａ，２ｂ，２ｃの周縁部分であり、裁断パターンセット１から裁断パターン２ａ，２ｂ，２ｃを切り出すための切り取り線である。この周縁部２１ａ，２１ｂ，２１ｃは、裁断パターンセット１に所定の間隔で切り込みを入れ、裁断パターン２ａ，２ｂ，２ｃの形状に形成することにより、カッター等を使用しなくても手で容易に切り出すことが可能になっている。
【００１８】
ガイド孔２２ａ，２２ｂ，２２ｃは、皮革素材を縫製する縫い孔を形成するための孔が図１の破線に沿って設けられている箇所であり、皮革素材を縫製する場合、縫製を行う前に縫製用の縫い孔を皮革素材に形成する必要があるため、この縫い孔を形成するために設けられている。この縫い孔は、裁断パターン２ａ，２ｂ，２ｃが皮革素材に重ねられた状態で、菱目打ちと呼ばれる専用の孔開け工具を用いて、ガイド孔２２ａ，２２ｂ，２２ｃに合わせて皮革素材に孔をあけることにより形成される。この菱目打ちは、フォークのように先端に複数の細い刃部が設けられた金属製の工具であり、細い刃部で皮革素材を差し込むことで縫い孔を形成するものである。そのため、ガイド孔２２ａ，２２ｂ，２２ｃの間隔は、目打ちの細い刃部の間隔に合わせて、例えば２ｍｍ幅の孔が２ｍｍ間隔で設けられている。
【００１９】
次に、この裁断パターンセット１の使用方法及び作用等について説明する。
【００２０】
図２は、図１の裁断パターンセット１から裁断パターン２ａが切り出された状態を示す平面図である。図３は、図２の裁断パターン２ａに沿って皮革素材１０が裁断されている状態を示す平面図である。図４は、図２のガイド孔２２ａに沿って皮革素材１０に縫い孔を形成するための目印１０ａが形成されている状態を示す平面図である。また、図５は、図４の目印１０ａに沿って皮革素材１０に縫い孔１０ｂが形成されている状態を示す平面図である。ここでは、裁断パターン２ａ，２ｂ，２ｃの例として、裁断パターン２ａについて説明を行う。
【００２１】
まず、図１に示す裁断パターンセット１から、図２に示すように裁断パターン２ａを切り出す。このとき、周縁部２１ａには所定の間隔で切り込みが入れられているので、手で容易に裁断パターン２ａを切り出すことができる。
【００２２】
次に、切り出された裁断パターン２ａを、シート状の皮革素材１０に載置する。そして、図３に示すように、周縁部２１ａに沿って、例えばカッターＣを使用して皮革素材１０の裁断を行う。この裁断パターン２ａが透明または半透明のポリプロピレン等により構成されているため、皮革素材１０の状態を視認することができるので、例えば皮革素材１０が折り曲がっていたり撓んでいたりしていても視認することが可能である。これにより、皮革素材１０を正確に裁断することができる。
【００２３】
さらに、裁断パターン２ａが載置されて皮革素材１０が裁断された状態で、図４に示すように、ガイド孔２２ａに沿って目打ちＦを差込み、皮革素材１０に縫い孔を形成するための目印１０ａを形成する。このとき、ガイド孔２２ａの中央位置に目打ちＦを合わせて差込む。ガイド孔２２ａが目打ちＦの細い刃部の間隔に合わせて設けられているため、目印１０ａを形成することにより、皮革素材１０に縫い孔を正確に形成することができる。
【００２４】
そして、裁断パターン２ａを皮革素材１０から取り外し、図５に示すように、目印１０ａに沿って菱目打ちＨを差込み、皮革素材１０に縫い孔１０ｂを形成する。なお、図５の目印１０ａは一点鎖線で示されているが、実際には、皮革素材１０上に目打ちＦで形成した孔が点線状に形成されている。
【００２５】
その後、裁断されて縫い孔が形成された皮革素材１０は、形成された縫い孔に沿って縫製が行われ、財布や鞄等の所定の製品が作成される。また、裁断パターン２ａはポリプロピレン等の樹脂材により構成されているため、紙で構成されている型紙よりも丈夫であり、破損しにいので繰り返し使用可能である。
【００２６】
以上のように、この裁断パターンセット１によれば、裁断パターン２ａ，２ｂ，２ｃが平板状のポリプロピレン等の樹脂材により構成されているので、紙で構成されている型紙よりも丈夫であるため、破損しにくくなる。また、この裁断パターン２ａ，２ｂ，２ｃが透明または半透明に構成されているので、皮革素材１０に重ねられても皮革素材１０を視認することができるため、例えば皮革素材１０が折り曲がっていたり撓んでいたりしていても視認できる。これにより、正確に裁断することが可能である。さらに、周縁部２１ａ，２１ｂ，２１ｃに所定の間隔で切り込みが入れられているので、手で容易に裁断パターン２ａ，２ｂ，２ｃを切り出すことができる。また、裁断パターン２ａ，２ｂ，２ｃが１枚の裁断パターンセット１の面内に設けられているので、複数の裁断パターン２ａ，２ｂ，２ｃをコンパクトに収容可能になるため、利便性が高くなる。
【００２７】
また、ガイド孔２２ａ，２２ｂ，２２ｃが菱目打ちＨの細い刃部の間隔に合わせて設けられているため、皮革素材１０に縫い孔を正確に形成することが可能である。
【００２８】
以上、この考案の実施の形態について説明したが、具体的な構成は、上記の実施の形態に限られるものではなく、この考案の要旨を逸脱しない範囲の設計の変更等があっても、この考案に含まれる。例えば、裁断パターンセット１に３つの裁断パターン２ａ，２ｂ，２ｃを備える構成としたが、製作する皮革製品によって数または形状が変更されていても良い。
【００２９】
また、この考案の実施の形態では、裁断パターン２ａを皮革素材１０に載置して裁断を行い、その後縫い孔を形成したが、逆の順番で行っても良い。例えば、裁断パターン２ｃのように細長い場合や小さい場合、先に縫い孔を形成してから裁断を行った方が皮革素材１０が安定する。
【符号の説明】
【００３０】
１                              裁断パターンセット
２ａ，２ｂ，２ｃ                裁断パターン
２１ａ，２１ｂ，２１ｃ          周縁部
２２ａ，２２ｂ，２２ｃ          ガイド孔
３                              残余部
１０                            皮革素材
Ｃ                              カッター
Ｆ                              目打ち
Ｈ                              菱目打ち
【図１】
0003211926.tif 000003
【図２】
0003211926.tif 000004
【図３】
0003211926.tif 000005
【図４】
0003211926.tif 000006
【図５】
0003211926.tif 000007